(57)【要約】【課題】大型ブラダーの周辺に小型ブラダーを設け、小型ブラダーに相対的に大きい脈波が伝達されるようにすることにより、最高血圧時と最低血圧時に人体の動脈からの脈波をさらに正確かつ精密に感知することが可能な、ダブルブラダーを内蔵した血圧計用カフを提供する。【解決手段】人体の腕、手首、指、脚などにカフを固定させ、ブラダーを保護するためのカフ外皮と、前記カフ外皮の内部に設けられており、空気注入により膨張する大型ブラダーと、前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなる。【選択図】        図３
2005185295.tif 000002
【特許請求の範囲】
【請求項１】
人体の腕、手首、指、脚などにカフを固定させ、ブラダーを保護するためのカフ外皮と、
前記カフ外皮の内部に設けられており、空気注入により膨張する大型ブラダーと、
前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなり、
小径の連結部と大径の連結部とを有するホースをさらに含み、小径の連結部は大型ブラダーに連結し、大径の連結部は小型ブラダーに連結する構造からなることを特徴とするダブルブラダーを内蔵した血圧計用カフ。
【請求項２】
前記大型ブラダーと小型ブラダーとの間に設けられたスペーサをさらに含むことを特徴とする請求項１記載のダブルブラダーを内蔵した血圧計用カフ。
【請求項３】
血の流動方向からみて、前記小型ブラダーが前記大型ブラダーの後ろに位置することを特徴とする請求項１記載のダブルブラダーを内蔵した血圧計用カフ。
【請求項４】
人体の腕、手首、指、脚などにカフを固定させ、ブラダーを保護するためのカフ外皮と、
前記カフ外皮の内部に設けられており、空気注入により膨張する大型ブラダーと、
前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなり、
小径の連結部を大型ブラダーに設置し、大径の連結部を小型ブラダーに設置した後、前記小径の連結部と大径の連結部をホースに連結する構造からなることを特徴とするダブルブラダーを内蔵した血圧計用カフ。
【請求項５】
前記大型ブラダーと小型ブラダーとの間に設けられたスペーサをさらに含むことを特徴とする請求項４記載のダブルブラダーを内蔵した血圧計用カフ。
【請求項６】
血の流動方向からみて、前記小型ブラダーが前記大型ブラダーの後ろに位置することを特徴とする請求項４記載のダブルブラダーを内蔵した血圧計用カフ。
【請求項７】
人体の腕、手首、指、脚などにカフを固定させ、ブラダーを保護するためのカフ外皮と、
前記カフ外皮の内部に設けられており、空気注入により膨張する大型ブラダーと、
前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなり、
小径の連結部を大型ブラダーと小型ブラダーとの間に設置し、大径の連結部を小型ブラダーに設置した後、大径の連結部をホースに連結する構造からなることを特徴とするダブルブラダーを内蔵した血圧計用カフ。
【請求項８】
前記大型ブラダーと小型ブラダーとの間に設けられたスペーサをさらに含むことを特徴とする請求項７記載のダブルブラダーを内蔵した血圧計用カフ。
【請求項９】
血の流動方向からみて、前記小型ブラダーが前記大型ブラダーの後ろに位置することを特徴とする請求項７記載のダブルブラダーを内蔵した血圧計用カフ。
【請求項１０】
人体の腕、手首、指、脚などにカフを固定させ、ブラダーを保護するためのカフ外皮と、
前記カフ外皮の内部に設けられており、空気注入により膨張する大型ブラダーと、
前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなり、
前記大型ブラダーをホースに連結し、前記小型ブラダーにセンサを封入する構造からなることを特徴とするダブルブラダーを内蔵した血圧計用カフ。
【請求項１１】
前記大型ブラダーと小型ブラダーとの間に設けられたスペーサをさらに含むことを特徴とする請求項１０記載のダブルブラダーを内蔵した血圧計用カフ。
【請求項１２】
血の流動方向からみて、前記小型ブラダーが前記大型ブラダーの後ろに位置することを特徴とする請求項１０記載のダブルブラダーを内蔵した血圧計用カフ。
【発明の詳細な説明】
【技術分野】
【０００１】
本発明は、血圧計用カフ（cuff for sphygmomanometer）分野に関し、さらに詳しくは、大型ブラダーの周辺に小型ブラダーを設け、小型ブラダーに相対的に大きい脈波が伝達されるようにすることにより、最高血圧時と最低血圧時に人体の動脈からの脈波をさらに正確かつ精密に感知することが可能な、ダブルブラダーを内蔵した血圧計用カフに関する。
【背景技術】
【０００２】
血圧は人の健康状態を判断するための基準として医学的に極めて重要に取り扱われている。このような血圧の測定には血圧計が用いられる。
【０００３】
前記血圧計は、人体の腕、手首、指、脚などの部位に圧力を加えて脈波を感知するためにカフを使用するが、従来の血圧計用カフは、図１に示すように、人体への取付け及びブラダー２の保護のためのカフ外皮１と、前記カフ外皮１の内部に設置されており、空気注入により膨張するブラダー２と、前記ブラダー２に連結されており、前記ブラダー２に空気を供給し或いは前記ブラダー２から空気を排出するためのホース３とを含んでなる。
【０００４】
上述したような従来の血圧計用カフは、図２に示すように、被測定者の腕、手首、指、脚などにカフを巻き付けた後、ホース３を介してカフ外皮１内のブラダー２に空気をポンピング加圧すると、ブラダー２が膨張する。この際、カフが被測定者の腕、手首、指、脚などの動脈を圧迫して血が流れないようにし、次にブラダー２にポンピング加圧されている空気をホース３を介して徐々に排気させる。すると、被測定者の腕、手首、指、脚などの動脈にさらに血が流れ、これに相応する脈波が伝達されることことにより、脈波を感知して血圧を測定することができる。
【０００５】
ところが、このような従来の血圧計用カフは、血液が人体の動脈部位を最初通過する瞬間に表示される最高血圧と、人体の動脈部位を何の抵抗もなく通過する瞬間に表示される最低血圧を判別するための脈波の変化が相対的に不明確で曖昧にブラダーへ伝達されることにより、最高血圧と最低血圧を正確に測定できなくなるという問題点などがあった。
【発明の開示】
【発明が解決しようとする課題】
【０００６】
本発明は、かかる従来の問題点を解決するためのもので、その目的は、大型ブラダーの周辺の適切な位置に適正サイズの小型ブラダーを設け、小型ブラダーに相対的に大きい脈波が伝達されるようにすることにより、血液が人体の動脈部位を最初通過する瞬間に表示される最高血圧と、血液が人体の動脈部位を何の抵抗もなく通過する瞬間に表示される最低血圧とを効果的に判別しうる脈波を発生させることが可能な、ダブルブラダーを内蔵した血圧計用カフを提供することにある。
【課題を解決するための手段】
【０００７】
上記目的を達成するために、本発明は、人体の腕、手首、指、脚などにカフを固定させ、ブラダーを保護するためのカフ外皮と、前記カフ外皮の内部に設けられており、空気注入により膨張する大型ブラダーと、前記カフ外皮の内部に大型ブラダーと共に設けられており、空気注入により膨張して前記大型ブラダーの内側で人体の腕、手首、指、脚などの動脈部位を効果的に圧迫する小型ブラダーとを含んでなる、ダブルブラダーを内蔵した血圧計用カフを提供する。
【発明の効果】
【０００８】
以上の通り、本発明は、大型ブラダーの周辺に小型ブラダーを設け、小型ブラダーに相対的に大きい脈波が伝達されるようにすることにより、血液が人体の動脈部位を最初通過する瞬間の最高血圧と、血液が人体の動脈部位を何の抵抗もなく通過する瞬間の最低血圧を細密に感知することができるという効果を奏する。
【発明を実施するための最良の形態】
【０００９】
以下、本発明の属する技術分野で通常の知識を有する者が本発明を容易に実施できる程度に詳細に説明するため、本発明の最も好適な実施例を添付図面に基づいて詳細に説明する。本発明の目的、作用、効果を含んでその他の目的、特徴点、及び動作上の利点が好適な実施例の説明によりさらに明確になるであろう。
【００１０】
参考として、下記の実施例は、いろいろの実施可能な例の中から当業者の理解を助けるために最も好適な実施例を選定して提示したものに過ぎず、本発明の技術的思想が必ずこの実施例のみに限定或いは制限されるのではなく、本発明の技術的思想から逸脱しない範囲内で様々な変化、付加及び変更が可能なのは勿論のこと、均等な他の実施も可能であることを明かしておく。
【実施例１】
【００１１】
本発明の第１実施例に係るダブルブラダーを内蔵した血圧計用カフは、図３に示すように、人体への取付けとブラダーの保護のためのカフ外皮１と、前記カフ外皮１の内部に設けられており、空気注入により膨張する大型ブラダー４と、前記カフ外皮１の内部に大型ブラダー４と共に設けられており、空気注入により膨張して前記大型ブラダー４の内側で人体の腕、手首、指、脚などの動脈部位を圧迫する小型ブラダー５とを含んでなる。
【実施例２】
【００１２】
本発明の第２実施例に係るダブルブラダーを内蔵した血圧計用カフは、図４及び図５に示すように、人体への取付けとブラダーの保護のためのカフ外皮１と、前記カフ外皮１の内部に設けられており、空気注入により膨張する大型ブラダー４と、前記カフ外皮１の内部に前記大型ブラダー４と共に設けられており、空気注入により膨張して前記大型ブラダーの内側で人体の腕、手首、指、脚などの動脈部位を圧迫する小型ブラダー５とを含んでなり、小径の連結部６１と大径の連結部６２を有するホース６をさらに含み、小径の連結部６１は前記大型ブラダー４に連結し、大径の連結部６２は前記小型ブラダー５に連結する構造からなる。
【００１３】
本発明の第２実施例に係るダブルブラダーを内蔵した血圧計用カフの構成は、図６に示すように、大型ブラダー４と小型ブラダー５との間にスペーサ７を追加し、大型ブラダー４と小型ブラダー５間を接着剤などで接着させると、さらに好ましい。
【実施例３】
【００１４】
本発明の第３実施例に係るダブルブラダーを内蔵した血圧計用カフは、図７及び図８に示すように、人体への取付けとブラダーの保護のためのカフ外皮１と、前記カフ外皮１の内部に設けられており、空気注入により膨張する大型ブラダー４と、前記カフ外皮１の内部に前記大型ブラダー４と共に設けられており、空気注入により膨張して前記大型ブラダーの内側で人体の腕、手首、指、脚などの動脈部位を圧迫する小型ブラダー５とを含んでなり、小径の連結部６３を前記大型ブラダー４に設置し、大径の連結部６４を前記小型ブラダー５に設置した後、前記小径の連結部６３と大径の連結部６４をホース６に連結する構造からなる。
【００１５】
本発明の第３実施例に係るダブルブラダーを内蔵した血圧計用カフの構成は、図９に示すように、大型ブラダー４と小型ブラダー５との間にスペーサ７を追加し、大型ブラダー４と小型ブラダー５間を接着剤などで接着させると、さらに好ましい。
【実施例４】
【００１６】
本発明の第４実施例に係るダブルブラダーを内蔵した血圧計用カフは、図１０及び図１１に示すように、人体への取付けとブラダーの保護のためのカフ外皮１と、前記カフ外皮１の内部に設けられており、空気注入により膨張する大型ブラダー４と、前記カフ外皮１の内部に前記大型ブラダー４と共に設けられており、空気注入により膨張して前記大型ブラダー４の内側で人体の腕、手首、指、脚などの動脈部位を圧迫する小型ブラダー５とを含んでなり、小径の連結部６５を前記大型ブラダー４と小型ブラダー５との間に設置し、大径の連結部６４を前記小型ブラダー５に設置した後、大径の連結部６６をホース６に連結する構造からなる。
【００１７】
本発明の第４実施例に係るダブルを内蔵した血圧計用カフの構成は、図１２に示すように、大型ブラダー４と小型ブラダー５との間にスペーサ７を追加し、大型ブラダー４と小型ブラダー５間を接着剤などで接着させると、さらに好ましい。
【実施例５】
【００１８】
本発明の第５実施例に係るダブルブラダーを内蔵した血圧計用カフは、図１３に示すように、人体への取付けとブラダーの保護のためのカフ外皮１と、前記カフ外皮１の内部に設けられており、空気注入により膨張する大型ブラダー４と、前記カフ外皮１の内部に前記大型ブラダー４と共に設けられており、空気注入により膨張して前記大型ブラダー４の内側で人体の腕、手首、指、脚などの動脈部位を圧迫する小型ブラダー５とを含んでなり、前記大型ブラダー４をホース６と連結し、前記小型ブラダー５にセンサ８を封入する構造からなる。
【００１９】
次に、上述した構成を有する本発明の実施例に係るダブルブラダーを内蔵した血圧計用カフの作用について説明する。  
被測定者の腕や手首、指、脚などにカフを巻き付けた後、ホース６を介してカフ外皮１内の大型ブラダー４と小型ブラダー５に空気をポンピング加圧すると、大型ブラダー４と小型ブラダー５が膨張してカフが被測定者の腕や手首、指、脚などに密着して加圧することになり、結果として動脈を圧迫することにより、この部分の血の流れを中止させる。
【００２０】
次に、大型ブラダー４及び小型ブラダー５にポンピング加圧されている空気をホース６を介して徐々に排気させると、人体の動脈から大型ブラダー４と小型ブラダー５へ脈波が伝達されることにより、脈波の感知を可能とする。
【００２１】
この場合、大型ブラダー４より小型ブラダー５の容量が著しく小さく、血の流動方向からみると、小型ブラダー５が大型ブラダー４の中央あるいは後ろに位置し、大型ブラダー４とホース６とを連結するための連結部６１、６３、６５の直径より小型ブラダー５とホース６とを連結するための連結部６２、６４、６６の直径が大きいので、排気中のカフの圧力が段々低くなって血液が動脈に流れ始める瞬間、特に小型ブラダー５にさらに大きい脈波を発生させることにより、最高血圧と最低血圧を一層正確かつ容易に測定可能とする。
【図面の簡単な説明】
【００２２】
【図１】従来の血圧計用カフの平面図である。
【図２】従来の血圧計用カフの使用状態を示す断面図である。
【図３】本発明の第１実施例に係るダブルブラダーを内蔵した血圧計用カフの使用状態を示す断面図である。
【図４】本発明の第２実施例に係るダブルブラダーを内蔵した血圧計用カフの平面図である。
【図５】図４のＡ−Ａ線に沿った断面図である。
【図６】図４のＡ−Ａ線に沿った第２実施例の他の例を示す断面図である。
【図７】本発明の第３実施例に係るダブルブラダーを内蔵した血圧計用カフの平面図である。
【図８】図７のＢ−Ｂ線に沿った断面図である。
【図９】図７のＢ−Ｂ線に沿った第３実施例の他の例を示す断面図である。
【図１０】本発明の第４実施例に係るダブルブラダーを内蔵した血圧計用カフの平面図である。
【図１１】図１０のＣ−Ｃ線に沿った断面図である。
【図１２】図１０のＣ−Ｃ線に沿った第４実施例の他の例を示す断面図である。
【図１３】本発明の第５実施例に係るダブルブラダーを内蔵した血圧計用カフの平面図である。
【符号の説明】
【００２３】
１  カフ外皮            ４  大型ブラダー
５  小型ブラダー        ６  ホース
６１、６３、６５  小径の連結部
６２、６４、６６  大径の連結部
７  スペーサ            ８  センサ
【図１】
2005185295.tif 000003
【図２】
2005185295.tif 000004
【図３】
2005185295.tif 000005
【図４】
2005185295.tif 000006
【図５】
2005185295.tif 000007
【図６】
2005185295.tif 000008
【図７】
2005185295.tif 000009
【図８】
2005185295.tif 000010
【図９】
2005185295.tif 000011
【図１０】
2005185295.tif 000012
【図１１】
2005185295.tif 000013
【図１２】
2005185295.tif 000014
【図１３】
2005185295.tif 000015